(57)【要約】【課題】本発明はタッチフィードバックパネル、これを含むタッチスクリーン装置及び電子装置に関する。【解決手段】本発明の一実施例によるタッチフィードバックパネルは、信号を感知する透明電極と、前記透明電極の全面にわたってセル単位で配置され、信号が感知された領域でのみ振動を発生させる多数のアクチュエータとを含むことができる。【選択図】図１
2011044126.tif 000002
【特許請求の範囲】
【請求項１】
信号を感知する透明電極と、
前記透明電極の全面にわたってセル単位で配置され、信号が感知された領域でのみ振動を発生させる多数のアクチュエータと、
を含むタッチフィードバックパネル。
【請求項２】
前記アクチュエータは、前記透明電極の上面または下面に形成されることを特徴とする請求項１に記載のタッチフィードバックパネル。
【請求項３】
前記タッチフィードバックパネルは、最外層に形成される保護カバーをさらに含む請求項１または2に記載のタッチフィードバックパネル。
【請求項４】
前記アクチュエータは、透明な材質の圧電体であることを特徴とする請求項１から３の何れか１項に記載のタッチフィードバックパネル。
【請求項５】
タッチによって反応する透明圧電アクチュエータが、信号を感知するための透明電極の全面にわたってセル単位で配置され、前記透明圧電アクチュエータが信号が感知された領域でのみ振動を発生するタッチフィードバックパネルと、
前記タッチフィードバックパネルに接着され、入力された信号の位置を感知するタッチセンシング部と、
を含むタッチスクリーン装置。
【請求項６】
前記タッチセンシング部は、抵抗膜方式または静電容量方式からなることを特徴とする請求項５に記載のタッチスクリーン装置。
【請求項７】
前記透明電極は、導電性高分子または導電性無機物材質からなることを特徴とする請求項５または６に記載のタッチスクリーン装置。
【請求項８】
前記導電性高分子は、ポリチオフェン（ＰＥＤＯＴ）、ポリアニリンまたはその重合体であることを特徴とする請求項７に記載のタッチスクリーン装置。
【請求項９】
前記導電性無機物材質はＩＴＯ、ＡＴＯ、ＡＺＯまたはＺｎＯであることを特徴とする請求項７に記載のタッチスクリーン装置。
【請求項１０】
前記タッチフィードバックパネルとタッチセンシング部は、光学透明接着剤で接着されることを特徴とする請求項５から９の何れか１項に記載のタッチスクリーン装置。
【請求項１１】
前記アクチュエータは、酸化亜鉛材質からなることを特徴とする請求項５から１０の何れか１項に記載のタッチスクリーン装置。
【請求項１２】
前記タッチセンシング部で認識した入力信号によって、前記透明圧電アクチュエータをパターン振動するようにする制御部をさらに含む請求項５から１１の何れか１項に記載のタッチスクリーン装置。
【請求項１３】
外観を形成するハウジングと、
前記ハウジング内で備えられ、透明圧電アクチュエータが、信号を感知するための透明電極の全面にわたってセル単位で配置され、前記透明圧電アクチュエータが信号が感知された領域でのみ振動を発生するタッチフィードバックパネルと、
前記タッチフィードバックパネルと接着され、入力された信号の位置を感知するタッチセンシング部と、を含む電子装置。
【発明の詳細な説明】
【技術分野】
【０００１】
本発明はタッチフィードバックパネル、これを含むタッチスクリーン装置及び電子装置に関するもので、より詳しくは、タッチフィードバックパネルの全面にわたってセル単位で振動を発生するアクチュエータを配置して、信号が感知された領域でのみアクチュエータの振動が生じるタッチフィードバックパネル、これを含むタッチスクリーン装置及び電子装置に関する。
【背景技術】
【０００２】
一般的に、タッチフィードバックパネルはユーザの接触状態を認識して機器全体が振動する方式で具現されている。
【０００３】
例えば、従来のタッチフィードバックパネルが適用されるディスプレイ装置は、タッチされる場合に、そのタッチに対するフィードバックとして振動を提供する振動素子を含み、上記振動素子はディスプレイ装置の縁に配置される。
【０００４】
この時、タッチフィードバックパネルのどの地点を接触してもディスプレイ装置の縁に配置される振動素子が振動するので、タッチフィードバックパネル全体が同じように振動する。
【０００５】
このように、タッチフィードバックパネル全体が振動する方式で具現されると、ユーザが繊細な反応を感じるには満足感が落ちる。従って、このような問題を解決するために、ユーザにとって更なる満足感を与えることができる新しい方式でのタッチフィードバックパネルモジュールに対する研究が必要な実状である。
【発明の概要】
【発明が解決しようとする課題】
【０００６】
本発明の目的は、タッチフィードバックパネルの全面にわたってセル単位で振動を発生するアクチュエータを配置して、信号が感知された領域でのみアクチュエータの振動が生じるタッチフィードバックパネル、これを含むタッチスクリーン装置及び電子装置を提供することにある。
【課題を解決するための手段】
【０００７】
本発明の一実施例によるタッチフィードバックパネルは、信号を感知する透明電極と、上記透明電極の全面にわたってセル単位で配置され、信号が感知された領域でのみ振動を発生させる多数のアクチュエータとを含むことができる。
【０００８】
また、本発明の一実施例によるタッチフィードバックパネルの上記アクチュエータは、上記透明電極の上面または下面に形成されることができる。
【０００９】
また、本発明の一実施例によるタッチフィードバックパネルは、最外層に形成される保護カバーをさらに含むことができる。
【００１０】
また、本発明の一実施例によるタッチフィードバックパネルの上記圧電アクチュエータは、透明な材質の圧電体であることができる。
【００１１】
一方、本発明の一実施例によるタッチスクリーン装置は、タッチによって反応する透明圧電アクチュエータが、信号を感知するための透明電極の全面にわたってセル単位で配置され、上記透明圧電アクチュエータは信号が感知された領域でのみ振動を発生するタッチフィードバックパネルと、上記タッチフィードバックパネルに接着され、入力された信号の位置を感知するタッチセンシング部とを含むことができる。
【００１２】
また、本発明の一実施例によるタッチスクリーン装置の上記タッチセンシング部は、抵抗膜方式または静電容量方式からなることができる。
【００１３】
また、本発明の一実施例によるタッチスクリーン装置の上記透明電極は、導電性高分子または導電性無機物材質からなることができる。
【００１４】
また、本発明の一実施例によるタッチスクリーン装置の上記導電性高分子は、ポリチオフェン（ＰＥＤＯＴ）、ポリアニリンまたはその重合体であることができる。
【００１５】
また、本発明の一実施例によるタッチスクリーン装置の上記導電性無機物材質は、ＩＴＯ、ＡＴＯ、ＡＺＯまたはＺｎＯであることができる。
【００１６】
また、本発明の一実施例によるタッチスクリーン装置の上記タッチフィードバックパネルとタッチセンシング部は光学透明接着剤で接着されることができる。
【００１７】
また、本発明の一実施例によるタッチスクリーン装置の上記アクチュエータは、酸化亜鉛材質からなることができる。
【００１８】
また、本発明の一実施例によるタッチスクリーン装置は、上記タッチセンシング部で認識した入力信号によって、上記透明圧電アクチュエータをパターン振動するようにする制御部をさらに含むことができる。
【００１９】
さらに他の側面で、本発明の一実施例による電子装置は、外観を形成するハウジングと、上記ハウジング内で備えられ、透明圧電アクチュエータが、信号を感知するための透明電極の全面にわたってセル単位で配置され、上記透明圧電アクチュエータが信号が感知された領域でのみ振動を発生するタッチフィードバックパネルと、上記タッチフィードバックパネルと接着され、入力された信号の位置を感知するタッチセンシング部とを含むことができる。
【発明の効果】
【００２０】
本発明によるタッチフィードバックパネル、これを含むタッチスクリーン装置及び電子装置によると、タッチフィードバックパネルにおいて信号が感知された領域でのみ反応が生じるので、接触による繊細な反応をユーザが感じるようにする。
【００２１】
また、接触部位において反応パターンを多様にすることによって、ユーザは多様な反応を感じることができ、ゲーム、チャット、ネットサーフィン等の多様な分野において活用することができる。
【図面の簡単な説明】
【００２２】
【図１】本発明による電子装置の一実施例である移動通信端末機と、上記移動通信端末機に含まれるタッチスクリーン装置を一部拡大して図示した概略斜視図である。
【図２】本発明の一実施例によるタッチスクリーン装置の第１実施例を図示した概略断面図である。
【図３】本発明の一実施例によるタッチスクリーン装置の第２実施例を図示した概略断面図である。
【図４】本発明の一実施例によるタッチフィードバックパネルとタッチセンシング層の結合状態を図示した概略断面図である。
【図５】本発明の一実施例によるタッチフィードバックパネルのアクチュエータが作動する状態を図示した概略断面図である。
【発明を実施するための形態】
【００２３】
以下では図面を参照し、本発明の具体的な実施例を詳細に説明する。但し、本発明の思想は提示される実施例に限らず、本発明の思想を理解する当業者は同一の思想の範囲内で他の構成要素の追加、変更、削除等を通して退歩的な他の発明や本発明の思想の範囲内に含まれる他の実施例を容易に提案することができ、これも本願発明の思想の範囲内に含まれる。
【００２４】
また、図面における構成要素の形状及びサイズなどは、より明確な説明のために誇張されることがあり、各実施例の図面に表示される同一の思想の範囲内の機能が同一の構成要素には同一の符号を使用して説明する。
【００２５】
図１は、本発明による電子装置の一実施例である移動通信端末機と、上記移動通信端末機に含まれるタッチスクリーン装置を一部拡大して図示した概略斜視図である。
【００２６】
本発明による電子装置１０の一実施例として移動通信端末機が図示される。
【００２７】
上記電子装置１０は、タッチスクリーン装置６０及び上記タッチスクリーン装置６０を収容するハウジング１２からなる。
【００２８】
上記ハウジング１２は上記タッチスクリーン装置６０を収容し、上記タッチスクリーン装置６０の全面とともに上記電子装置１０の外観を形成する。
【００２９】
上記タッチスクリーン装置６０に信号が感知されると、上記感知された信号の領域にのみ透明圧電アクチュエータ２４０が反応する。上記透明圧電アクチュエータ２４０は透明電極２５０と接触して形成される。この時、上記透明圧電アクチュエータ２４０は上記透明電極２５０の上面または下面に形成されることができる。
【００３０】
上記透明圧電アクチュエータ２４０は、上記タッチスクリーン装置６０の上記透明電極２５０の全面にわたってセル単位で多数個が備えられる。
【００３１】
上記タッチスクリーン装置６０の外面には、上記透明電極２５０と透明圧電アクチュエータ２４０を保護する保護カバー２６０が形成されることができる。
【００３２】
ここで、セル単位とは、個々の圧電アクチュエータがそれぞれ区画されて別個に駆動する単位を意味する。
【００３３】
なお、上記圧電アクチュエータ２４０の反応パターンを制御する制御部４０が上記電子装置１０内に備えられることができる。
【００３４】
以下ではタッチスクリーン装置６０について具体的に説明する。
【００３５】
図２は、本発明の一実施例によるタッチスクリーン装置の第１実施例を図示した概略断面図であり、図３は本発明の一実施例によるタッチスクリーン装置の第２実施例を図示した概略断面図である。
【００３６】
図２及び図３を参照すると、本発明の一実施例によるタッチスクリーン装置６０は、タッチフィードバックパネル２０とタッチセンシング部３０を含んでなることができる。
【００３７】
上記タッチフィードバックパネル２０は信号を感知する透明電極２５０と上記透明電極２５０の全面にわたってセル単位で配置され、多数のアクチュエータ２４０は上記透明電極２５０の信号が感知された領域でのみ振動を発生させる。
【００３８】
上記アクチュエータ２４０は、図２のように上記透明電極２５０の下部に形成されるか、図３のように上記透明電極２５０の上部に形成されることができる。両方ともタッチフィードバックパネル２０の最外層には保護カバー２６０が備えられることができる。
【００３９】
ここで、上記アクチュエータ２４０は、個々の圧電体に区画されて別個に駆動するセル単位で上記透明電極２５０の全面にわたって備えられることができる。
【００４０】
上記アクチュエータ２４０は、電子装置のディスプレイのための透明な材質の圧電体であり、酸化亜鉛が主に使用される。
【００４１】
以下では、このようなタッチフィードバックパネル２０を含むタッチスクリーン装置６０について説明する。
【００４２】
図４は、本発明の一実施例によるタッチフィードバックパネルとタッチセンシング層の結合状態を図示した概略断面図である。
【００４３】
図４を参照すると、本発明によるタッチスクリーン装置６０はタッチフィードバックパネル２０とタッチセンシング部３０とを含む。
【００４４】
上記タッチフィードバックパネル２０は、図２及び図３の実施例に示された部分と実質的に同一であり、具体的な説明は省略する。
【００４５】
上記タッチセンシング部３０は、図４の実施例のような抵抗膜方式のセンシングも可能であるが、静電容量方式で行われてもよい。
【００４６】
抵抗膜方式のタッチセンシング部３０は、空間３６２を介して配置される透明電極３５０、３５２の押圧によって接触し、座標を認識しながらタッチをセンシングする。
【００４７】
タッチフィードバックパネル２０の透明電極２５０と上記タッチセンシング部３０の透明電極３５０、３５２は、導電性高分子または導電性無機物材質からなることができる。
【００４８】
ここで、上記導電性高分子はポリチオフェン（ＰＥＤＯＴ）、ポリアニリンであってもよく、上記導電性無機物材質はＩＴＯ、ＡＴＯ、ＡＺＯまたはＺｎＯであってもよい。
【００４９】
上記空間３６２に配置されるドットスペーサー３６４は上記透明電極３５０、３５２の接触を絶縁する役割をする。
【００５０】
一方、上記タッチフィードバックパネル２０内の透明電極２５０と保護カバー２６０の接着は光学透明接着剤２２０（ＯＣＡ）で接着されてもよく、また、上記タッチフィードバックパネル２０とタッチセンシング部３０も光学透明接着剤２２４（ＯＣＡ）で接着されてもよい。
【００５１】
上記タッチセンシング部３０で認識した入力信号は、透明圧電アクチュエータ２４０の振動パターンを決定するために制御部に送られる。
【００５２】
図５は、本発明の一実施例によるタッチフィードバックパネルのアクチュエータが作動する状態を図示した概略断面図である。
【００５３】
図５を参照すると、タッチフィードバックパネル２０に指を触れると、透明電極２５０、タッチセンシング層３０においてタッチを感知して、透明圧電アクチュエータ２４０が駆動するようにする。
【００５４】
この時、入力位置である指部分の透明圧電アクチュエータ２４０のみ反応するようになるので、タッチフィードバックパネル２０全体が振動するものではなく、指部分のみ反応するようにする。
【００５５】
指が位置した部分で透明圧電アクチュエータ２４０の変形が発生し、矢印方向に変位δが生じる。
【００５６】
一部のみ反応することにより、即時に反応及び振動が可能であり、電力消費を減らすこともできる。
【００５７】
本発明によるタッチフィードバックパネル、これを含むタッチスクリーン装置及び電子装置によると、タッチフィードバックパネルにおいて信号が感知された領域でのみ反応が発生するので、接触による繊細な反応をユーザが感じるようにする。
【００５８】
また、接触部位において反応パターンを多様にすることによって、ユーザは多様な反応を感じることができ、ゲーム、チャット、ネットサーフィン等の多様な分野において活用することができる。
【符号の説明】
【００５９】
１０    電子装置
２０    タッチフィードバックパネル  
３０    タッチセンシング層    
２４０  アクチュエータ
２５０  透明電極
２６０  保護カバー  
【図１】
2011044126.tif 000003
【図２】
2011044126.tif 000004
【図３】
2011044126.tif 000005
【図４】
2011044126.tif 000006
【図５】
2011044126.tif 000007